(57)【要約】  複数の状態のうちの少なくとも一つの状態への自端未の状態切替を指示する状態切替指示信号を受信する工程と、自端末の状態を前記状態切替指示信号が指示する状態へ切り替えるか否か、自端末のメモリに記憶されたユーザー設定に基づいて決定する工程と、前記決定する工程において、自端未の状態を前記状態切替指示信号が指示する状態へ切り替えることを決定した場合に、自端未の状態を前記状態切替指示信号が指示する状態へ切り替える制御を行う工程とを備える。【特許請求の範囲】
【請求項１】
着信音がＯＮである少なくとも一つの状態および着信音がＯＦＦである少なくとも一つの状態を含む複数の状態を切り替えて動作する携帯電話機における状態切替方法であって、
上記複数の状態のうちの少なくとも一つの状態への自端未の状態切替を指示する状態切替指示信号を受信する工程と、
自端末の状態を前記状態切替指示信号が指示する状態へ切り替えるか否か、自端末のメモリに記憶されたユーザー設定に基づいて決定する工程と、
前記決定する工程において、自端未の状態を前記状態切替指示信号が指示する状態へ切り替えることを決定した場合に、自端未の状態を前記状態切替指示信号が指示する状態へ切り替える制御を行う工程と、
を備えたことを特徴とする携帯電話機における状態切替方法。
【請求項２】
前記制御を行う工程は、前記決定する工程において自端未の状態を前記状態切替指示信号が指示する状態へ切り替えないことを決定した場合に、自端未の状態を前記ユーザー設定に基づいて前記状態切替指示信号が指示する状態とは異なる状態へ切り替える制御を行う、ことを特徴とする請求項１に記載の携帯電話機における状態切替方法。
【請求項３】
前記制御を行う工程は、前記決定する工程において自端未の状態を前記状態切替指示信号が指示する状態へ切り替えないことを決定した場合に、自端未の状態を切り替えない、ことを特徴とする請求項１に記載の携帯電話機における状態切替方法。
【請求項４】
前記状態切替指示信号は、前記状態切替指示信号が指示する状態への切替が要求される場所に対応する識別子を含み、
前記ユーザー設定は、前記識別子毎に設定可能であり、
前記決定する工程は、受信された前記状態切替指示信号に含まれる前記識別子に対応するユーザー設定に基づいて、受信された前記状態切替指示信号が指示する状態へ切り替えるか否か決定する、ことを特徴とする請求項１に記載の携帯電話機における状態切替方法。
【請求項５】
前記状態切替指示信号は、前記状態切替指示信号が指示する状態への切替が要求される場所のカテゴリーに対応する識別子を含み、
前記ユーザー設定は、前記識別子毎に設定可能であり、
前記決定する工程は、受信された前記状態切替指示信号に含まれる前記識別子に対応するユーザー設定に基づいて、受信された前記状態切替指示信号が指示する状態へ切り替えるか否か決定する、ことを特徴とする請求項１に記載の携帯電話機における状態切替方法。
【請求項６】
前記決定する工程は、自端未のメモリに前記ユーザー設定が記憶されているか否かを判定する工程と、
前記判定する工程において記憶されていないと判定された場合に、前記ユーザー設定の入力をユーザーへ促す工程と、
ユーザーから入力されるユーザー設定を前記メモリに記憶する工程とを備えたことを特徴とする請求項１に記載の携帯電話機における状態切替方法。
【請求項７】
前記受信する工程において前記状態切替指示信号が受信された場合に、その受信された状態切替指示信号に含まれる前記識別子に対応するユーザー設定が、自端未のメモリに記憶されているか否か判定する工程と、
前記判定する工程において記憶されていないと判定された場合に、当該識別子に対応するユーザー設定の入力をユーザーへ促す工程と、
ユーザーから入力される当該識別子に対応するユーザー設定を前記メモリに記憶する工程とを備えたことを特徴とする請求項５に記載の携帯電話機における状態切替方法。
【請求項８】
前記受信する工程において前記状態切替指示信号が受信された場合に、その受信された状態切替指示信号に含まれる前記識別子に対応するユーザー設定が、自端未のメモリに記憶されているか否か判定する工程と、
前記判定する工程において記憶されていないと判定された場合に、当該識別子に対応するユーザー設定の入力をユーザーへ促す工程と、
ユーザーから入力される当該識別子に対応するユーザー設定を前記メモリに記憶する工程とを備えたことを特徴とする請求項６に記載の携帯電話機における状態切替方法。
【請求項９】
前記ユーザー設定の入力をユーザーへ促す工程は、ユーザーに対して本人確認のためのパスワードの入力を促す工程を備えることを特徴とする請求項４に記載の携帯電話機における状態切替方法。
【請求項１０】
前記状態切替指示信号に含まれる前記識別子を、所定のサーバーから取得する工程と、
該識別子に対するユーザー設定の入力を、ユーザーへ促す工程と、
ユーザーから入力される該識別子に対応するユーザー設定を、自端未のメモリに記憶する工程と、を更に備えたことを特徴とする請求項５に記載の携帯電話機における状態切替方法。
【請求項１１】
前記状態切替指示信号に含まれる前記識別子を、所定のサーバーから取得する工程と、
該識別子に対するユーザー設定の入力を、ユーザーへ促す工程と、
ユーザーから入力される該識別子に対応するユーザー設定を、自端未のメモリに記憶する工程と、を更に備えたことを特徴とする請求項６に記載の携帯電話機における状態切替方法。
【請求項１２】
複数の前記識別子に共通のユーザー設定の入力を、ユーザーへ促す工程を更に備えたことを特徴とする請求項５に記載の携帯電話機における状態切替方法。
【請求項１３】
複数の前記識別子に共通のユーザー設定の入力を、ユーザーへ促す工程を更に備えたことを特徴とする請求項６に記載の携帯電話機における状態切替方法。
【請求項１４】
前記パスワードによる前記本人確認は、ユーザーにより入力されたパスワードを認証サーバに送信することにより行うことを特徴とする請求項９に記載の携帯電話機における状態切替方法。
【請求項１５】
前記受信する工程は、止まり木チャネルにおいて前記状態切替指示信号を受信することを特徴とする請求項１に記載の携帯電話機における状態切替方法。
【請求項１６】
前記受信する工程は、基地局から送信されるチャネル内において前記状態切替指示信号を受信することを特徴とする請求項１に記載の携帯電話機における状態切替方法。
【請求項１７】
前記受信する工程は、基地局から送信されるＣＰＩＣＨ、Ｐ−ＣＣＰＣＨ、Ｓ−ＣＣＰＣＨ、又はＤＰＣＨにおいて前記状態切替指示信号を受信することを特徴とする請求項１に記載の携帯電話機における状態切替方法。
【請求項１８】
前記制御する工程における状態切替後、前記状態切替指示信号が受信されないことを検出する工程と、
前記状態切替指示信号が受信されない場合に、当該状態切替前の状態へ戻す工程を、更に備えたことを特徴とする請求項１に記載の携帯電話機における状態切替方法。
【請求項１９】
着信音がＯＮである少なくとも一つの状態および着信音がＯＦＦである少なくとも一つの状態を含む複数の状態を切り替えて動作する携帯電話機であって、
上記複数の状態のうちの少なくとも一つの状態への自端未の状態切替を指示する状態切替指示信号を受信する受信手段と、
自端末の状態を前記状態切替指示信号が指示する状態へ切り替えるか否か、自端末のメモリに記憶されたユーザー設定に基づいて決定する決定手段と、
前記決定手段が自端未の状態を前記状態切替指示信号が指示する状態へ切り替えることを決定した場合に、自端未の状態を前記状態切替指示信号が指示する状態へ切り替える制御手段と、
を備えたことを特徴とする携帯電話機。
【請求項２０】
着信音がＯＮである少なくとも一つの状態および着信音がＯＦＦである少なくとも一つの状態を含む複数の状態を切り替えて動作する携帯電話機に対して、上記複数の状態のうちの少なくとも一つの状態への状態切替を指示する状態切替指示信号を送信する送信機であって、
前記状態切替指示信号が指示する状態の識別子を記憶する状態識別子記憶手段と、
前記状態切替指示信号が指示する状態への切替が要求される場所に対応する識別子を記憶する第１記憶手段と、
前記状態切替指示信号が指示する状態への切替が要求される場所のカテゴリーに対応する識別子を記憶する第２記憶手段と、
前記状態識別子記憶手段、前記第１記憶手段、および前記第２記憶手段のそれぞれから出力される識別子を含む前記状態切替指示信号を生成する状態切替指示信号生成手段と、
前記状態切替指示信号生成手段が出力した状態切替指示信号を送信する送信機と
を備ええたことを特徴とする送信機。
【発明の詳細な説明】
【技術分野】
【０００１】
本発明は、状態切替を指示する状態切替指示信号を受信することにより、自動的にその状態が切り替わる携帯電話機、携帯電話機における状態切替方法、および状態切替指示信号の送信機に関する。
【背景技術】
【０００２】
従来の携帯電話機においては、映画館、図書館、美術館など、携帯電話機の着信音をＯＦＦとすることが求められる場所において、携帯電話機のユーザーが手動操作で携帯電話機の状態を電源ＯＦＦまたはマナーモードの状態へ切り替える必要があった。【０００３】
一方、特開2001-78263号公報には、日本において主に普及しているＰＤＣ方式携帯電話システム等において用いられる下り方向（即ち、基地局から携帯電話機へ向う方向）の「止まり木チャネル」内に、携帯電話機に対して状態切替を指示するための状態切替指示信号を含めて送信し、当該状態切替指示信号を受信した携帯電話機が当該状態切替指示信号が指示する状態へ自端未の状態を自動的に切り替える、自動状態切替方法が提案されている。【０００４】
しかしながら、この自動状態切替方法においては、携帯電話機の状態が当該状態切替指示信号の受信により強制的に切り替えられることになるため、携帯電話機がユーザーが意図しない状態に勝手に切り替えられてしまうといった問題があった。【０００５】
また、例えば、携帯電話機をＯＮとしたまま着信音をＯＦＦとし着信時のバイブレーションをＯＮとするマナーモード（別名：サイレントモード）にすれば足るような場所において、状態切替指示信号の受信により携帯電話機の電源が自動的にＯＦＦとされ、当該ユーザーが重要な通話を行う機会を失った場合などにおいて、ユーザーにおいて不満が生じる可能性があった。
【特許文献１】特開2001-78263号公報
【発明の開示】
【発明が解決しようとする課題】
【０００６】
本発明は以上のような事情に鑑みてなされたものであり、携帯電話機に対して状態切替を指示する状態切替指示信号を送信して、携帯電話機がその状態切替指示信号に基づいて自端未の状態を切り替える携帯電話システムにおいて、状態切替によるユーザーの不満を軽減し、ユーザーにおける利便性が大きい携帯電話機、携帯電話機の状態切替方法、および状態切替指示信号の送信機を提供する。
【課題を解決するための手段】
【０００７】
着信音がＯＮである少なくとも一つの状態および着信音がＯＦＦである少なくとも一つの状態を含む複数の状態を切り替えて動作する携帯電話機における状態切替方法において、上記複数の状態のうちの少なくとも一つの状態への自端未の状態切替を指示する状態切替指示信号を受信する工程と、自端末の状態を前記状態切替指示信号が指示する状態へ切り替えるか否か、自端末のメモリに記憶されたユーザー設定に基づいて決定する工程と、前記決定する工程において、自端未の状態を前記状態切替指示信号が指示する状態へ切り替えることを決定した場合に、自端未の状態を前記状態切替指示信号が指示する状態へ切り替える制御を行う工程と、を備える。
【発明の効果】
【０００８】
本発明の携帯電話機における状態切替方法においては、複数の状態のうちの少なくとも一つの状態への自端未の状態切替を指示する状態切替指示信号を受信する工程と、自端末の状態を前記状態切替指示信号が指示する状態へ切り替えるか否か、自端末のメモリに記憶されたユーザー設定に基づいて決定する工程と、前記決定する工程において、自端未の状態を前記状態切替指示信号が指示する状態へ切り替えることを決定した場合に、自端未の状態を前記状態切替指示信号が指示する状態へ切り替える制御を行う工程とを備えたので、ユーザーにおける利便性が大きい携帯電話機の状態切替を行うことができる。
【図面の簡単な説明】
【０００９】
【図１】本発明による実施の形態１における携帯電話システムを例示する図である。
【図２】図１に示した送信機１の構成を例示するブロック図である。
【図３】図１に示した携帯電話機２の構成を例示するブロック図である。
【図４】状態切替制御部２４における動作を説明するフローチャートである。
【図５】図１に示した送信機１の実施の形態２における構成を例示するブロック図である。
【図６】図１に示した携帯電話機２の実施の形態２における構成を例示するブロック図である。
【図７】図６の携帯電話機２において、メモリ部２７に記憶されるユーザー設定の内容を表形式で例示したものである。
【図８】図６の状態切替制御部６１における動作を説明するフローチャートである。
【図９】図１に示した送信機１の実施の形態２における構成を例示するブロック図である。
【図１０】図１に示した携帯電話機２の実施の形態３における構成を例示するブロック図である。
【図１１】図１０の携帯電話機２において、メモリ部２７に記憶されるユーザー設定の内容を表形式で例示したものである。
【図１２】図１０の状態切替制御部６２における動作を説明するフローチャートである。
【図１３】図１に示した送信機１の実施の形態４における構成を例示するブロック図である。
【図１４】図１に示した携帯電話機２の実施の形態４における構成を例示するブロック図である。
【図１５】図１０の携帯電話機２において、メモリ部２７に記憶されるユーザー設定の内容を表形式で例示したものである。
【図１６】図１３の状態切替制御部６３における動作を説明するフローチャートである。
【図１７】ユーザー設定入力モードにおける携帯電話機２の動作を例示するフローチャートである。
【図１８】状態切替指示信号を「止まり木チャネル」に含めて送信する場合の携帯電話システムを例示する図である。
【図１９】実施の形態７における携帯電話システムを例示する図である。
【符号の説明】
【００１０】
１  送信機、      ２  携帯電話機、      １２  状態識別子記憶部、      １３  状態切替指示信号生成部、      １４  無線送信部、      ２４  状態切替制御部。
【発明を実施するための最良の形態】
【００１１】
実施の形態１．
図１は、本発明による実施の形態１における携帯電話システムを例示する図である。図１において、１は映画館、図書館、美術館など携帯電話機の状態を切り替えることが求められる場所近辺に設けられ、送信範囲１１内の携帯電話機に対して状態切替を指示するための状態切替指示信号を送信する送信機であり、２は状態切替指示信号の送信範囲１１内に位置し、自端未の状態を、受信された状態切替指示信号が指示する状態へ切り替える携帯電話機である。【００１２】
図２は図１に示した送信機１の構成を例示するブロック図である。図２において、１２は状態切替指示信号に含める状態識別子を記憶する状態識別子記憶部、１３は状態切替指示信号を生成する状態切替指示信号生成部、１４は状態切替指示信号を送信範囲１１へ送信する無線送信部である。【００１３】
状態識別子記憶部１２が記憶する状態識別子は、一般的な携帯電話機が動作可能な複数の状態のうちの少なくとも一つの状態に対応づけられた識別子であり、送信機１はこの状態識別子記憶部１２が記憶する状態識別子を状態切替指示信号に含めて送信することにより、送信範囲１１内の携帯電話機に対して、当該状態識別子に対応する状態への切替を指示する。
例えば、携帯電話機における、電源ＯＦＦ、マナーモード、通常モードのそれぞれに、互いに異なる状態識別子「１」、「２」、「３」が予め対応づけられる。この場合、送信機１が送信範囲１１内の携帯電話機に対して電源ＯＦＦ状態への切替を指示する場合には、状態識別子記憶部１２には、電源ＯＦＦに対応する状態識別子である「１」が記憶され、送信機１は当該状態識別子「１」を含む状態切替指示信号を、送信範囲１１内の携帯電話機に対して送信する。【００１４】
状態識別子記憶部１２に記憶される状態識別子は、変更可能であることが好ましく、たとえば、送信機１に一体に設けられる不図示の入力手段、または送信機１に無線接続または有線接続される入力端未によって変更可能であることが好ましい。あるいは、送信機１に記憶された不図示のプログラムまたはタイマによって状況に応じて自動的に変更されるようにしてもよい。【００１５】
送信機１の状態識別子記憶部１２は、記憶している状態識別子を状態切替指示信号生成部１３へ出力する。状態切替指示信号生成部１３は、状態識別子記憶部１２から入力された状態識別子を含む状態切替指示信号を生成し、無線送信部１４へ出力する。無線送信部１４は、状態切替指示信号生成部１３において生成された状態切替指示信号を、携帯電話機２において受信可能な送信方式にて送信範囲１１内へ送信する。【００１６】
図３は図１に示した携帯電話機２の構成を例示するブロック図である。携帯電話機２は、無線送受信部２１、通信制御部２２、アプリケーション機能部２３、状態切替制御部２４、キー操作部２５、表示部２６、メモリ部２７、マイク部２８、およびスピーカ部２９から構成される。【００１７】
携帯電話機２は、不図示の基地局を介して他の電話機と通話する際に、無線送受信部２１から受信された音声信号をスピーカ部２９へ出力し、マイク部２８から入力された音声信号を無線送受信部２１より送信する。
また、携帯電話機２は、アプリケーションプログラムを実行するためのアプリケーション機能部２３を有しており、これにより各種ゲーム、Web閲覧、電子メール作成、電子メール閲覧などを行うことを可能にしている。たとえば、アプリケーション機能部２３は、ゲーム画面を表示部２６へ表示すると共に、キー操作部２５からの入力に応じて表示部２６に表示されたゲーム画面を変更する。また、アプリケーション機能部２３は、キー操作部２５からの入力に応じて作成された電子メールを表示部２６へ表示すると共に、当該作成された電子メールを無線送受信部２１より送信する。また、アプリケーション機能部２３は、無線送受信部２１を介して受信された電子メールをメモリ部２７へ記憶すると共に、キー操作部２５からの入力に応じて、メモリ部２７に記憶された電子メールを表示部２６へ表示する。また、アプリケーション機能部２３は、キー操作部２５からの入力に応じて、無線送受信部２１を介してインターネット接続し、インターネットから取得された情報を表示部２６へ表示する。【００１８】
通信制御部２２は、これら通話処理、Ｗｅｂ閲覧処理、電子メール処理などにおいて必要となる基地局との通信、即ち、無線送受信部２１を介しての基地局との各種通信を制御する通信制御部であり、例えば、複数の基地局からの電波を受信して、通信相手となる基地局を選択するセルサーチ処理や、セルサーチ処理により選択された基地局との間に無線リンクを確立するログイン処理を、無線送受信部２１を制御することにより実行する。【００１９】
また、メモリ部２７には、ユーザーがキー操作部２５からの入力により設定したユーザー設定が記憶されている。例えば、ユーザーは当該ユーザー設定を行うことにより、携帯電話機２における状態切替指示信号受信時における動作を、ユーザーの好みに合わせて設定することが可能である。
更に具体的には、ユーザーは当該ユーザー設定を行うことにより、携帯電話機２における状態切替指示信号受信時における動作を、以下の（１）〜（５）のいずれかに設定することが可能である。
（１）携帯電話機２は状態切替指示信号が受信された場合に、自端未（携帯電話機２）の状態をその状態切替指示信号が指示する状態へ自動的に切り替える。
（２）携帯電話機２は状態切替指示信号が受信された場合に、自端未の状態をその状態切替指示信号が指示する状態に関係なく、切り替えない。
（３）携帯電話機２は状態切替指示信号が受信された場合に、自端未の状態をその状態切替指示信号が指示する状態に関係なく、電源ＯＦＦの状態へ自動的に切り替える。
（４）携帯電話機２は状態切替指示信号が受信された場合に、自端未の状態をその状態切替指示信号が指示する状態に関係なく、電源ＯＮにしたまま着信音をＯＦＦにするマナーモード（サイレントモード）へ自動的に切り替える。
（５）携帯電話機２は状態切替指示信号が受信された場合に、自端未の状態をその状態切替指示信号が指示する状態に関係なく、電源ＯＮかつ着信音ＯＮの通常モードへ自動的に切り替える。【００２０】
図３の状態切替制御部２４の動作について説明する。図４は図３の状態切替制御部２４における動作を説明するフローチャートである。図３の状態切替制御部２４は無線送受信部２１における状態切替指示信号の受信を待ち受け、検出する（ステップ４１）。ステップ４１において状態切替指示信号の受信が検出されると、状態切替制御部２４は、自端未の状態、即ち、携帯電話機２の状態を、その受信された状態切替指示信号が指示する状態、即ち当該状態切替指示信号に含まれる状態識別子に対応する状態へ切り替えるか否かを、図３のメモリ部２７に記憶されたユーザー設定に基づいて決定する（ステップ４２）。ステップ４２において、自端未の状態を状態切替指示信号が指示する状態へ切り替えることを決定した場合には、状態切替制御部２４は、自端未の状態を、受信された状態切替指示信号が指示する状態へと切り替える制御を行う（ステップ４３）。ステップ４２において、自端未の状態を状態切替指示信号が指示する状態へ切り替えないことを決定した場合、状態切替制御部２４は、自端未の状態を切り替えない、あるいは自端未の状態を当該ユーザー設定によって指定された状態へと切り替える制御を行う（ステップ４４）。【００２１】
以上のように、本実施の形態１においては、映画館、図書館、美術館など携帯電話機の状態を切り替えることが求められる場所近辺に、携帯電話機に対して所定状態への切替を指示する状態切替指示信号の送信機を設け、携帯電話機は、その状態切替指示信号を受信した場合に、自端未をその状態切替指示信号が指示する状態へ切り替えるか否かの判断を、自端未のメモリに記憶されたユーザー設定に基づき行うので、携帯電話機の状態がそのユーザーが欲しない状態へ強制的に切り替わることを抑制することができ、ユーザーにおける利便性が大きい携帯電話機、および携帯電話システムを得ることができる。【００２２】
実施の形態２．
本実施の形態２においては、図１の送信機１から送信される状態切替指示信号に、その状態切替指示信号により状態切替が要求される場所に対応する識別子が含まれ、図１の携帯電話機２はその識別子毎に異なるユーザー設定を記憶することが可能である。【００２３】
図５は、図１に示した送信機１の本実施の形態２における構成を例示するブロック図である。なお、図５において図２と同一符号は図１と同一もしくは相当する部分を示すものとして説明を省略する。
図５において、１５は送信機１から送信される状態切替指示信号により状態切替が要求される場所に対応する識別子である場所識別子を記憶する場所識別子記憶部である。この場所識別子としては、例えば、送信機１に固有に割り当てられる製造番号や、送信機１が設けられる場所名（例えば”Ａ市図書館”）をＡＳＣＩＩコード変換やＪＩＳコード変換して得られる２進数表現などを用いることができる。【００２４】
場所識別子記憶部１５に記憶される場所識別子は変更可能としてもよく、たとえば、送信機１に一体に設けられる入力手段、または送信機１に無線接続または有線接続される入力端未によって変更可能であってもよい。【００２５】
図５に示した送信機１の動作について説明する。送信機１の状態識別子記憶部１２は、記憶している状態識別子を状態切替指示信号生成部１３へ出力し、場所識別子記憶部１５は、記憶している場所識別子を状態切替指示信号生成部１３へ出力する。状態切替指示信号生成部１３は、それら状態識別子記憶部１２および場所識別子記憶部１５から入力された状態識別子および場所識別子を含む状態切替指示信号を生成し、無線送信部１４へ出力する。無線送信部１４は、状態切替指示信号生成部１３において生成された状態切替指示信号を、携帯電話機２において受信可能な送信方式にて送信範囲１１内へ送信する。【００２６】
図６は図１に示した携帯電話機２の本実施の形態２における構成を例示するブロック図である。図６において、図３と同一符号は図３と同一もしくは相当する部分を示すものとして説明を省略する。図６に示した携帯電話機２は、メモリ部２７に記憶されるユーザー設定の内容および状態切替制御部６１の動作が、図３に示した携帯電話機２と異なる。【００２７】
図７は、図６の携帯電話機２において、メモリ部２７に記憶されるユーザー設定の内容を表形式で例示したものである。メモリ部２７に記憶されるユーザー設定の内容は、ユーザーが携帯電話機２のキー操作部２５を操作することにより入力／変更することが可能である。
図７において、場所識別子「００１」「００２」「００３」はそれぞれ「Ａ市図書館」「Ａ市美術館」「Ｂ市図書館」に対応するものであり、処理識別子「１」〜「５」はそれぞれ以下の（１）〜（５）の動作に対応する。
（１）携帯電話機２は状態切替指示信号が受信された場合に、自端未（携帯電話機２）の状態をその状態切替指示信号が指示する状態へ自動的に切り替える。
（２）携帯電話機２は状態切替指示信号が受信された場合に、自端未の状態をその状態切替指示信号が指示する状態に関係なく、切り替えない。
（３）携帯電話機２は状態切替指示信号が受信された場合に、自端未の状態をその状態切替指示信号が指示する状態に関係なく、電源ＯＦＦの状態へ自動的に切り替える。
（４）携帯電話機２は状態切替指示信号が受信された場合に、自端未の状態をその状態切替指示信号が指示する状態に関係なく、電源ＯＮにしたまま着信音をＯＦＦにするマナーモード（サイレントモード）へ自動的に切り替える。
（５）携帯電話機２は状態切替指示信号が受信された場合に、自端未の状態をその状態切替指示信号が指示する状態に関係なく、電源ＯＮかつ着信音ＯＮの通常モードへ自動的に切り替える。【００２８】
図７に示した例では、携帯電話機２は、場所識別子「００１」を含む状態切替指示信号を受信すると、その状態切替指示信号が指示する状態に関係なく、自端未の状態をマナーモードへ自動的に切り替える（処理識別子「４」の処理）。即ち、図７のユーザー設定がなされた携帯電話機２は、「Ａ市図書館」において、その状態が自動的にマナーモードへ切り替わる。
また、図７に示した例では、携帯電話機２は、場所識別子「００２」を含む状態切替指示信号を受信すると、自端未の状態を、受信した状態切替指示信号が指示する状態、即ち、その状態切替指示信号に含まれる状態識別子に対応する状態へ自動的に切り替える（処理識別子「１」の処理）。即ち、図７のユーザー設定がなされた携帯電話機２は「Ａ市美術館」において、その状態が自動的に状態切替指示信号が指示する状態へ切り替わる。【００２９】
図６の状態切替制御部６１の動作について説明する。図８は図６の状態切替制御部６１における動作を説明するフローチャートである。状態切替制御部６１は図６の無線送受信部２１における状態切替指示信号の受信を待ち受け、検出する（ステップ８１）。ステップ８１において状態切替指示信号の受信が検出されると、状態切替制御部６１は、その受信された状態切替指示信号に含まれた場所識別子を抽出し、その抽出された場所識別子およびメモリ部２７に記憶されたユーザー設定に基づき（ステップ８２）、自端未の状態を当該状態切替指示信号が指示する状態へ切り替えるか否か決定する（ステップ８３）。ステップ８３において、自端未の状態を状態切替指示信号が指示する状態へ切り替えることを決定した場合には、状態切替制御部６１は、自端未の状態を、受信された状態切替指示信号が指示する状態へ切り替える制御を行う（ステップ８４）。ステップ８３において、自端未の状態を状態切替指示信号が指示する状態へ切り替えないことを決定した場合、状態切替制御部６１は、自端未の状態を切り替えない、あるいは自端未の状態を、場所識別子に対応するユーザー設定において指定された状態へと切り替える制御を行う（ステップ８５）。【００３０】
以上のように、本実施の形態２においては、状態切替指示信号の送信機は、状態切替が求められる場所に対応する場所識別子を状態切替指示信号に含めて送信し、携帯電話機はその場所識別子毎に携帯電話機の動作を設定することが可能であるので、ユーザーは状態切替指示信号が送信される場所毎に携帯電話機の動作を異ならせることが可能となり、ユーザーにおける利便性が大きい携帯電話機、および携帯電話システムを得ることができる。【００３１】
実施の形態３．
本実施の形態３においては、図１の送信機１から送信される状態切替指示信号に、その状態切替指示信号により状態切替が要求される場所のカテゴリに対応する識別子が含まれ、図１の携帯電話機２はその識別子毎に異なるユーザー設定を記憶することが可能である。【００３２】
図９は、図１に示した送信機１の本実施の形態３における構成を例示するブロック図である。なお、図９において図２と同一符号は図１と同一もしくは相当する部分を示すものとして説明を省略する。
図９において、１６は送信機１から送信される状態切替指示信号により状態切替が要求される場所のカテゴリに対応する識別子である場所カテゴリ識別子を記憶する場所カテゴリ識別子記憶部である。この場所カテゴリ識別子は、「図書館」「美術館」「映画館」などの施設種別を示すものであり、例えば「図書館」に対しては「００１」、美術館に対しては「００２」、「映画館」に対しては「００３」といった場所カテゴリ識別子が割り当てられる。また、場所カテゴリ識別子として、施設種別名（例えば”図書館”）をＡＳＣＩＩコード変換やＪＩＳコード変換して得られる２進数表現などを用いてもよい。【００３３】
図９に示した送信機１の動作について説明する。送信機１の状態識別子記憶部１２は、記憶している状態識別子を状態切替指示信号生成部１３へ出力し、場所カテゴリ識別子記憶部１６は、記憶している場所カテゴリ識別子を状態切替指示信号生成部１３へ出力する。状態切替指示信号生成部１３は、それら状態識別子記憶部１２および場所カテゴリ識別子記憶部１６から入力された状態識別子および場所カテゴリ識別子を含む状態切替指示信号を生成し、無線送信部１４へ出力する。無線送信部１４は、状態切替指示信号生成部１３において生成された状態切替指示信号を、携帯電話機２において受信可能な送信方式にて送信範囲１１内へ送信する。【００３４】
図１０は図１に示した携帯電話機２の本実施の形態３における構成を例示するブロック図である。図１０において、図３と同一符号は図３と同一もしくは相当する部分を示すものとして説明を省略する。図１０に示した携帯電話機２は、メモリ部２７に記憶されるユーザー設定の内容および状態切替制御部６２の動作が、図１に示した携帯電話機２と異なる。【００３５】
図１１は、図１０の携帯電話機２において、メモリ部２７に記憶されるユーザー設定の内容を表形式で例示したものである。メモリ部２７に記憶されるユーザー設定の内容は、ユーザーがキー操作部２５を操作することにより入力／変更することが可能である。
図７において、場所カテゴリ識別子「００１」「００２」「００３」はそれぞれ「図書館」「美術館」「映画館」に対応する識別子であり、処理識別子「１」〜「５」はそれぞれ以下の（１）〜（５）の動作に対応する。
（１）携帯電話機２は状態切替指示信号が受信された場合に、自端未（携帯電話機２）の状態をその状態切替指示信号が指示する状態へ自動的に切り替える。
（２）携帯電話機２は状態切替指示信号が受信された場合に、自端未の状態をその状態切替指示信号が指示する状態に関係なく、切り替えない。
（３）携帯電話機２は状態切替指示信号が受信された場合に、自端未の状態をその状態切替指示信号が指示する状態に関係なく、電源ＯＦＦの状態へ自動的に切り替える。
（４）携帯電話機２は状態切替指示信号が受信された場合に、自端未の状態をその状態切替指示信号が指示する状態に関係なく、電源ＯＮにしたまま着信音をＯＦＦにするマナーモード（サイレントモード）へ自動的に切り替える。
（５）携帯電話機２は状態切替指示信号が受信された場合に、自端未の状態をその状態切替指示信号が指示する状態に関係なく、電源ＯＮかつ着信音ＯＮの通常モードへ自動的に切り替える。【００３６】
図１１に示した例では、携帯電話機２は、場所カテゴリ識別子「００１」を含む状態切替指示信号を受信すると、その状態切替指示信号が指示する状態に関係なく、自端未の状態をマナーモードへ自動的に切り替える（処理識別子「４」）。即ち、図７のユーザー設定がなされた携帯電話機２は、状態切替指示信号が送信される図書館において、その状態が自動的にマナーモードへ切り替わる。
また、図１１に示した例では、携帯電話機２は、場所カテゴリ識別子「００２」を含む状態切替指示信号を受信すると、その状態を、受信した状態切替指示信号が指示する状態、即ち、その状態切替指示信号に含まれる状態識別子に対応する状態へ自動的に切り替える。即ち、図７のユーザー設定がなされた携帯電話機２は、状態切替指示信号が送信される美術館において、その状態が自動的に状態切替指示信号が指示する状態へ切り替わる。【００３７】
図１０の状態切替制御部６２の動作について説明する。図１２は図１０の状態切替制御部６２における動作を説明するフローチャートである。状態切替制御部６２は無線送受信部２１における状態切替指示信号の受信を待ち受け、検出する（ステップ１０１）。ステップ１０１において状態切替指示信号の受信が検出されると、状態切替制御部６２は、その受信された状態切替指示信号に含まれた場所カテゴリ識別子を抽出し、その抽出された場所カテゴリ識別子およびメモリ部２７に記憶されたユーザー設定に基づき（ステップ１０２）、自端未の状態を当該状態切替指示信号が指示する状態へ切り替えるか否か決定する（ステップ１０３）。ステップ１０３において、自端未の状態を状態切替指示信号が指示する状態へ切り替えることを決定した場合、状態切替制御部６２は、自端未の状態を、受信された状態切替指示信号が指示する状態へと切り替える制御を行う（ステップ１０４）。ステップ１０３において、自端未の状態を状態切替指示信号が指示する状態へ切り替えないことを決定した場合、状態切替制御部６２は、自端未の状態を切り替えない、あるいは自端未の状態を、場所カテゴリ識別子に対応するユーザー設定において指定される状態へと切り替える制御を行う（ステップ１０５）。【００３８】
以上のように、本実施の形態３においては、状態切替指示信号の送信機は、状態切替が求められる場所のカテゴリに対応する場所カテゴリ識別子を状態切替指示信号に含めて送信し、携帯電話機はその場所カテゴリ識別子毎に携帯電話機の動作を設定することが可能であるので、ユーザーは状態切替指示信号が送信される場所のカテゴリ毎に携帯電話機の動作を異ならせることが可能となり、ユーザーにおける利便性が大きい携帯電話機、および携帯電話システムを得ることができる。【００３９】
実施の形態４．
本実施の形態４においては、送信機から送信される状態切替指示信号に、実施の形態２で説明した場所識別子、および実施の形態３で説明した場所カテゴリ識別子を含める場合について説明する。【００４０】
図１３は、図１に示した送信機１の本実施の形態４における構成を例示するブロック図である。なお、図１３において図２と同一符号は図２と同一もしくは相当する部分を示すものとして説明を省略する。
図１３において、１５は送信機１から送信される状態切替指示信号により状態切替が要求される場所に対応する場所識別子を記憶する場所識別子記憶部、１６は送信機１から送信される状態切替指示信号により状態切替が要求される場所のカテゴリに対応する場所カテゴリ識別子を記憶する場所カテゴリ識別子記憶部である。【００４１】
図１３に示した送信機１の動作について説明する。送信機１の状態識別子記憶部１２は、記憶している状態識別子を状態切替指示信号生成部１３へ出力し、場所識別子記憶部１５は記憶している場所識別子を状態切替指示信号生成部１３へ出力し、場所カテゴリ識別子記憶部１６は、記憶している場所カテゴリ識別子を状態切替指示信号生成部１３へ出力する。状態切替指示信号生成部１３は、それら状態識別子記憶部１２、場所識別子記憶部１５および場所カテゴリ識別子記憶部１６のそれぞれから入力された状態識別子、場所識別子および場所カテゴリ識別子を含む状態切替指示信号を生成し、無線送信部１４へ出力する。無線送信部１４は、状態切替指示信号生成部１３において生成された状態切替指示信号を、携帯電話機２において受信可能な送信方式にて送信範囲１１内へ送信する。【００４２】
図１４は図１に示した携帯電話機２の本実施の形態４における構成を例示するブロック図である。図１４において、図３と同一符号は図３と同一もしくは相当する部分を示すものとして説明を省略する。図１４に示した携帯電話機２は、メモリ部２７に記憶されるユーザー設定の内容および状態切替制御部６３の動作が、図１に示した携帯電話機２と異なる。【００４３】
図１５は、図１４の携帯電話機２において、メモリ部２７に記憶されるユーザー設定の内容を表形式で例示したものである。メモリ部２７に記憶されるユーザー設定の内容は、ユーザーが携帯電話機２のキー操作部２５を操作することにより入力／変更することが可能である。【００４４】
図１５において、場所カテゴリ識別子「００１」「００２」「００３」はそれぞれ「図書館」「美術館」「映画館」に対応するものであり、場所カテゴリ識別子「００１」に対応する場所識別子「００１」「００２」はそれぞれ「Ａ市図書館」「Ｂ市図書館」に対応するものであり、処理識別子「０」〜「５」はそれぞれ以下の（０）〜（５）の動作に対応するものである。
（０）場所カテゴリ識別子毎のユーザー設定を参照する。
（１）場所識別子毎のユーザ設定を参照する。
（２）携帯電話機２は状態切替指示信号が受信された場合に、自端未（携帯電話機２）の状態をその状態切替指示信号が指示する状態へ自動的に切り替える。
（３）携帯電話機２は状態切替指示信号が受信された場合に、自端未の状態をその状態切替指示信号が指示する状態に関係なく、切り替えない。
（４）携帯電話機２は状態切替指示信号が受信された場合に、自端未の状態をその状態切替指示信号が指示する状態に関係なく、電源ＯＦＦの状態へ自動的に切り替える。
（５）携帯電話機２は状態切替指示信号が受信された場合に、自端未の状態をその状態切替指示信号が指示する状態に関係なく、電源ＯＮにしたまま着信音をＯＦＦにするマナーモード（サイレントモード）へ自動的に切り替える。【００４５】
図１５において、１５１は全ての場所カテゴリ識別子および全ての場所識別子に同一の処理識別子を対応づけるための一括設定用メモリ領域であり、１５２は場所カテゴリ識別子毎に全ての場所識別子に同一の処理識別子を対応づけるためのメモリ領域であり、１５３は場所カテゴリ識別子毎に各場所識別子に処理識別子を対応づけるためのメモリ領域である。
携帯電話機２は、状態切替指示信号が受信された場合に、まずメモリ領域１５１を参照し、メモリ領域１５１に処理識別子「２」〜「５」が記憶されず、処理識別子「０」が記憶されている場合には、受信された状態切替指示信号に含まれる場所カテゴリ識別子に対応するメモリ領域１５２を参照し、メモリ領域１５２に処理識別子「２」〜「５」が記憶されず、処理識別子「１」が記憶されている場合には、受信された状態切替指示信号に含まれる場所カテゴリ識別子および場所識別子に対応する処理識別子１５３を参照する。携帯電話機２は、これら各メモリ１５１〜１５３を順次に参照し、参照した処理識別子の動作を実効する。【００４６】
図１５に示した例では、携帯電話機２は、場所カテゴリ識別子「００１」および場所識別子「００１」を含む状態切替指示信号を受信すると、まず一括設定用メモリ領域１５１に記憶された処理識別子を参照し、当該処理識別子が「０」であるから、場所カテゴリ識別子「００１」に対応するメモリ領域１５２を参照し、当該メモリ領域１５２の処理識別子が「１」であるから、場所カテゴリ識別子「００１」および場所識別子「００１」に対応するメモリ領域１５３を参照し、処理識別子「５」を得る。これによって、自端未の状態をマナーモードへ自動的に切り替える。
また、図１５に示した例では、携帯電話機２は、場所カテゴリ識別子「００２」および場所識別子「００１」を含む状態切替指示信号を受信すると、まず一括設定用メモリ領域１５１に記憶された処理識別子を参照し、当該処理識別子が「０」であるから、場所カテゴリ識別子「００２」に対応するメモリ領域１５２を参照し、当該メモリ領域の処理識別子が「２」であるため、自端未の状態を、受信された状態切替指示信号に含まれる状態識別子に対応する状態へ、自動的に切り替える。【００４７】
図１４の状態切替制御部６３の動作について説明する。図１６は図１４の状態切替制御部６３における動作を説明するフローチャートである。状態切替制御部６３は図１４の無線送受信部２１における状態切替指示信号の受信を待ち受け、検出する（ステップ１３１）。ステップ１３１において状態切替指示信号の受信が検出されると、状態切替制御部６３は、図１５に示したメモリ領域１５１に記憶された処理識別子を参照する（ステップ１３２）。【００４８】
ステップ１３２において、当該メモリ領域１５１に記憶された処理識別子が、場所カテゴリ識別子毎のユーザー設定の参照を指示する場合には、受信された状態識別指示信号から場所カテゴリ識別子を抽出し、抽出された場所カテゴリ識別子に対応する処理識別子１５２を参照する（ステップ１３３）。ステップ１３２において、当該メモリ領域１５１に記憶された処理識別子が、場所カテゴリ識別子毎のユーザー設定の参照を指示しない場合には、当該メモリ領域１５１に記憶された処理識別子の処理を実行して、ステップ１３１へ戻る（ステップ１３５）。【００４９】
ステップ１３３において、処理識別子１５２が、場所識別子毎のユーザー設定の参照を指示する場合には、受信された状態識別指示信号から場所識別子を抽出し、既に抽出されている場所カテゴリ識別子に対応し、且つ、抽出された場所識別子に対応する処理識別子１５３を参照する（ステップ１３４）。ステップ１３３において、場所カテゴリ識別子に対応する処理識別子１５２が、場所識別子毎のユーザー設定の参照を指示しない場合には、当該処理識別子１５２の処理を実行して、ステップ１３１へ戻る（ステップ１３６）。【００５０】
なお、ステップ１３２、ステップ１３３およびステップ１３４のそれぞれにおいて、参照すべき処理識別子１５１、１５２、１５３が見つからない場合には、状態切替制御部６３は、ユーザーに対してユーザー設定の入力を促し、入力されたユーザー設定を処理識別子の形式で記憶する（不図示）。このユーザー設定の入力方法としては例えば、後述の実施形態で説明する図１７に示すような方法で行うことができる。【００５１】
以上のように、本実施の形態４においては、状態切替指示信号の送信機は、状態切替が求められる場所のカテゴリに対応する場所カテゴリ識別子および状態切替が求められる場所に対応する場所識別子の双方を、状態切替指示信号に含めて送信し、携帯電話機はそれら場所カテゴリ識別子毎かつ場所識別子毎に携帯電話機の動作を設定することが可能であるので、ユーザーは状態切替指示信号が送信される場所カテゴリ毎かつ場所毎に携帯電話機の動作を異ならせることが可能となり、ユーザーにおける利便性が大きい携帯電話機、および携帯電話システムを得ることができる。【００５２】
なお、図１５に示した例では、場所カテゴリ識別子と場所識別子がそれぞれ独立した識別子となっている例を示したが、場所カテゴリ識別子が場所識別子の一部を構成するようにしてもよい。例えば、「Ａ市図書館」の場所識別子を「００１００２」とし、当該場所識別子の上位３桁の「００１」が「図書館」を示す場所カテゴリ識別子であってもよい。【００５３】
実施の形態５．
実施の形態４では、携帯電話機２において、場所カテゴリ識別子毎および場所識別子毎にユーザー設定を行う手順について例示する。ここでは、携帯電話機のメモリ内にユーザー設定が一切記憶されていない場合を例にとり説明する。【００５４】
図１４の状態切替制御部６３は、ユーザーによるキー操作部２５のキー操作により、あるいは、状態切替識別信号の受信により、ユーザー設定入力モードへ移行する。
図１７は当該ユーザー設定入力モードにおける図１３の状態切替制御部６３による制御処理によって実現される携帯電話機２の動作を例示するフローチャートである。【００５５】
ユーザー設定入力モードへの移行後、携帯電話機２の表示部２６に、ユーザー設定の入力を促すメッセージ、およびパスワードの入力を促すメッセージが表示される（ステップ１７０１）。
ユーザーが携帯電話機２のキー操作部２５を操作することによりパスワードを入力すると、携帯電話機２はそのパスワードが正しいか否かを、図１３の無線送受信部２１を介して認証サーバに接続することにより確認する（ステップ１７０２）。ステップ１７０２において入力されたパスワードが誤っていると判断された場合には、ステップ１７０１へ戻るか、またはユーザー設定入力モードを終了する。
ステップ１７０２において入力されたパスワードが正しい場合には、携帯電話機２は無線送受信部２１を介して所定の情報サーバーに接続する。この情報サーバには、状態切替指示信号が送信される各場所における場所カテゴリ識別子、場所識別子、およびそれら各場所において設定可能なユーザー設定の内容が切替場所情報として記憶されており、携帯電話機２はこの切替場所情報を自端未にダウンロードする（ステップ１７０３）。
次に、携帯電話機２は、ユーザー設定を場所カテゴリ毎に設定するか否かを、ユーザーに選択させるための画面を表示部２６に表示する（ステップ１７０４）。ステップ１７０４においてユーザーが場所カテゴリ毎の設定を選択しなかった場合には、ユーザーに全場所カテゴリおよび全場所において用いられるユーザー設定の入力を促す画面を表示部２６に表示する（ステップ１７０５）。ステップ１７０４およびステップ１７０５におけるユーザーからの入力内容は、処理識別子の形式で図１５に示すメモリ領域１５１に記憶される（不図示）。
ステップ１７０４においてユーザーが場所カテゴリ毎の設定を選択した場合には、場所毎にユーザー設定を行うか否かを選択させるための画面を表示部２６に表示する（ステップ１７０６）。ステップ１７０６においてユーザーが場所毎の設定を選択しなかった場合には、ユーザーに場所カテゴリ毎の全場所において用いられるユーザー設定の入力を促す画面を表示部２６に表示する（ステップ１７０７）。ステップ１７０６およびステップ１７０７におけるユーザーからの入力内容は、処理識別子の形式で図１５に示すメモリ領域１５２に記憶される。
ステップ１７０６においてユーザーが場所毎の設定を選択した場合には、ユーザーに場所毎のユーザー設定の入力を促す画面を表示部２６に表示する（ステップ１７０８）。ステップ１７０８において入力された内容はメモリ領域１５３に記憶される。【００５６】
以上のように、本実施の形態５においては、ユーザが携帯電話機２にユーザー設定を入力する際に、ユーザーにパスワード入力を求めるようにしたので、携帯電話機２の所有者以外が、悪戯などでユーザー設定を行うことを防止できる。【００５７】
また、本実施の形態５においては、状態切替指示信号が送信される場所についての切替場所情報を情報サーバに記憶し、携帯電話機はその情報サーバからダウンロードされた切替場所情報に基づきユーザー設定を促す画面を表示するので、ユーザーは最新の切替場所情報に基づくユーザー設定を行うことが可能であり、古い切替場所情報に基づき誤ったユーザー設定が行われることを抑制することができる。【００５８】
また、本実施の形態５においては、携帯電話機２において、場所カテゴリ毎にユーザー設定を入力するか否かを選択するための画面、及び場所毎にユーザー設定を入力するか否かを選択するための画面が、順次に表示されるので、ユーザーは場所カテゴリ毎のユーザー設定を希望しない場合には、全ての場所カテゴリに共通のユーザー設定を入力するのみでよく、場所カテゴリ毎のユーザー設定の入力を省略でき、また、ユーザーは場所毎のユーザー設定を希望しない場合に、場所カテゴリ毎のユーザー設定を入力するのみでよく、場所毎のユーザー設定の入力を省略できるから、ユーザーにおける利便性の高い携帯電話機を得ることができる。【００５９】
実施の形態６．
本実施の形態６では、図１に示した送信機１は状態切替指示信号を、「止まり木チャネル」など携帯電話機が基地局との無線接続のために用いる任意のチャネルに含めて送信する。
即ち、図２に示した送信機１の構成において、無線送信部１４は、状態切替指示信号を、日本において主に普及しているＰＤＣ方式携帯電話システムにおける「止まり木チャネル」内に含めて送信することが可能である。この「止まり木チャネル」は、携帯電話機がどの基地局からの電波を受信するのかを選択するために受信する受信レベル測定用の下りチャネルである。【００６０】
また、近年、世界的な普及が予想されるＷＣＤＭＡ方式の携帯電話システムにおいては、状態切替指示信号を、共通パイロットチャネル(Common Pilot Channel)ＣＰＩＣＨ、第１共通制御物理チャネル（Primary Common Control Physical Channel）Ｐ−ＣＣＰＣＨ、第２共通制御物理チャネル（Secondary Common Control Physical Channel）Ｓ−ＣＣＰＣＨ、個別物理チャネルＤＰＣＨ（Dedicated Physical Channel）などに含めて送信することができる。
なお、ＷＣＤＭＡにおいては、携帯電話機がどの電波を受信するのかを選択するための受信レベル測定用のチャネルはＣＰＩＣＨであるが、このＣＰＩＣＨは第１のＣＰＩＣＨ（Primary CPICH）と第２のＣＰＩＣＨ（Secondary CPICH）の２種類が存在し、これら第１および第２のＣＰＩＣＨにおいて送信されるシンボル系列はそれぞれ予め決められているから、ＷＣＤＭＡシステムとの親和性の観点から、状態切替指示信号はＣＰＩＣＨ以外のその他の共通物理チャネルを用いて送信することが望ましい。特に、望ましくは、状態切替指示信号は、ＣＰＩＣＨによるセルサーチ後に携帯電話機が受信するＰ−ＣＣＰＣＨにマッピングされるトランスポートチャネルＢＣＨ（Broadcast Channel）内に含めて送信することが望ましい。【００６１】
図１８は、状態切替指示信号を「止まり木チャネル」に含めて送信する場合の携帯電話システムを例示する図である。図１８においては、図１に示した送信機１を、図書館等施設の入口付近および出口付近のそれぞれに設け、当該入口付近の送信範囲１１内に電源ＯＦＦまたはマナーモードへの状態切替を指示するための状態切替指示信号を送信し、当該出口付近の送信範囲１１内に通常モードへの状態切替を指示するための状態切替指示信号を送信している。当該入口付近および出口付近の送信機１は、所謂完全な基地局の機能は有しておらず、状態切替指示信号を含んだ止まり木チャネルを送信する機能を有するのみである。【００６２】
携帯電話機２は、入口付近の送信範囲１１内に入ると（例えばＡ地点）、入口付近の送信機１からの「止まり木チャネル」の受信レベルが最も高いので、これを受信することとなる。これによって、携帯電話機２において、この「止まり木チャネル」に含められた状態切替指示信号に基づく、状態切替処理が行われる。
なお、ここでは送信機１は完全な基地局の機能を有していないので、この送信機１を中継基地局としての他の電話機／サーバとの通話／通信は行うことができない。【００６３】
携帯電話機２は、入口付近において例えばマナーモードに切り替えられ、施設内へと移動する（例えばＢ地点）。施設内では、送信機１ではなく、通常の基地局からの「止まり木チャネル」の受信電力が最も大きくなるので、携帯電話機２は当該基地局を介して他の電話機／サーバとの通話／通信を行うことが可能となる。但し、このときの携帯電話機２の状態はマナーモードであるため、携帯電話機２において着信が検出された場合であっても、携帯電話機２は着信音を発生せず、例えば携帯電話機２本体のバイブレーションによって、携帯電話機２のユーザーに対して、着信の事実を知らせる。【００６４】
次に携帯電話機２は、出口付近の送信範囲１１内に入ると（例えばＣ地点）、出口付近の送信機１からの「止まり木チャネル」の受信レベルが最も高いので、これを受信することとなる。これによって携帯電話機２は、例えばマナーモードから通常モードへの切替処理が行われる。【００６５】
なお、本実施の形態６においては、携帯電話機２が入口付近を通過中に、認証サーバまたは情報サーバなど他のサーバに接続する必要が生じた場合には、携帯電話機２は送信機１からの信号を受信しているために、通常の基地局を介した通信が行えず、それら認証サーバまたは情報サーバと通信することができない。そのため、携帯電話機２が入口付近の送信範囲１１を出た後に、当該認証サーバまたは情報サーバとの通信を行う。あるいは、携帯電話機２は通常の基地局との通信機能と共に、他の通信機能を有し、当該他の通信機能を用いて、送信範囲１１内において認証サーバまたは情報サーバと接続するようにしてもよい。【００６６】
実施の形態７．
実施の形態６では、送信機１が通常の基地局の機能を有さず、状態切替指示信号を含む「止まり木チャネル」を送信する機能のみを有していた。また、実施の形態６では、送信機１が一つの施設の入口と出口のそれぞれに個別に設けられていた。本実施の形態７では、送信機１が通常の基地局の機能を有し、当該送信機１は「止まり木チャネル」内に状態切替指示信号を含めて送信する。即ち、送信機は通常の基地局と比べて、「止まり木チャネル」内に状態切替指示信号を含めて送信している点のみが異なっている。また本実施の形態７では、送信機１の送信範囲１１が一つの施設のほぼ全エリアをカバーするように設けられる。即ち、施設内に位置する携帯電話機２は、ほぼ常に、送信機１からの状態切替指示信号を受信して、状態切替が指示され続ける。【００６７】
図１９は、本実施の形態７における携帯電話システムを例示する図である。図１９において、１９１は通常の基地局であり、且つ、図１に示した送信機１の全ての機能を有している。また、図１９においては、基地局１９１からの「止まり木チャネル」の送信範囲１１は図書館等の施設内の状態切替が必要な範囲にほぼ一致するよう調整されている。本実施の形態７においては、このように、各図書館、各美術館など、状態切替指示信号を送信する場所毎に、通常の基地局の機能を有し、且つ、図１に示した送信機１の機能を有する基地局１９１を配置する。【００６８】
基地局１９１の送信範囲１１内においては、基地局１９１からの「止まり木チャネル」の受信レベルが最も高いので、携帯電話機２は、これを受信することとなる。これによって、携帯電話機２において、この「止まり木チャネル」に含められた状態切替指示信号に基づく、状態切替処理が行われる。
また、当該状態切替処理において、認証サーバまたは情報サーバなど他のサーバに接続する必要が生じた場合には、携帯電話機２は基地局１９１からの「止まり木チャネル」を受信しているので、基地局１９１と通信可能であり、基地局１９１を介してそれらサーバとの通話／通信が可能である。【００６９】
携帯電話機２は、基地局１９１の送信範囲１１外、即ち施設外に出ると、基地局１９１以外の「止まり木チャネル」の受信レベルが高くなり、基地局１９１からの「止まり木チャネル」を受信しなくなる。携帯電話機２は、この基地局１９１からの「止まり木チャネル」が受信されなくなったことを検出し、携帯電話機２の状態を、状態切替毎の状態、即ち、当該送信範囲１１内へ入る前の状態へ復帰させる。【００７０】
また、基地局１９１は、状態切替指示信号による状態切替を中断することを要求する状態切替中断要求信号を送信することが可能である。携帯電話機２はこの状態切替中断要求信号の受信を検出すると、状態切替指示信号による切替前の状態へ自端未を自動的に切り替える。【００７１】
また、携帯電話機２では、キー操作部２５を操作することにより、状態切替指示信号による状態切替後の状態から、その他の状態あるいは状態切替前の状態へ強制的に切り替える状態切替強制中断処理を行うことが可能である。この場合、携帯電話機２５は、状態切替強制中断処理の直後に再び状態切替指示信号を受信して、状態切替がなされることを防止するため、状態切替強制中断処理後、状態切替強制中断処理直前に受信された状態切替指示信号とは異なる状態切替指示信号が受信されるまでは、状態切替指示信号による状態切替を行わない、あるいは、状態切替強制中断処理後、所定時間の間は、状態切替指示信号による状態切替動作は行わない。【００７２】
また、送信機１は、図書館、美術館、映画館などの不動産に設けられるほかに、電車やバスなどの公共交通手段に設けるようにしてもよい。即ち、電車やバスなどの移動施設内に本実施の形態７における基地局１９１を設けるようにしてもよい。【００７３】
以上、本発明の図示実施例をここでは説明したが、この発明はここで述べた各種の好ましい実施形態に限定されるものではなく、この開示に基づいて当業者によって認識されるような修正、削除、（例えば各種実施形態をクロスする側面の）組合せ、適用および／又は変更を含む如何なる全ての実施形態を含むものである。クレームの限定事項はクレーム中で用いられた用語に基づいて広く解釈されるべきであり、本件明細書中或いは本願のプロセキューション中で言及された実施例に限定されるものではなく、それら実施例は排他的なものではないと解釈されるべきである。
【産業上の利用可能性】
【００７４】
本発明は、ＰＤＣ、ＷＣＤＭＡなどの携帯電話機、基地局などにおいて利用することができる。
【図１】
2006117843.tif 000002
【図２】
2006117843.tif 000003
【図３】
2006117843.tif 000004
【図４】
2006117843.tif 000005
【図５】
2006117843.tif 000006
【図６】
2006117843.tif 000007
【図７】
2006117843.tif 000008
【図８】
2006117843.tif 000009
【図９】
2006117843.tif 000010
【図１０】
2006117843.tif 000011
【図１１】
2006117843.tif 000012
【図１２】
2006117843.tif 000013
【図１３】
2006117843.tif 000014
【図１４】
2006117843.tif 000015
【図１５】
2006117843.tif 000016
【図１６】
2006117843.tif 000017
【図１７】
2006117843.tif 000018
【図１８】
2006117843.tif 000019
【図１９】
2006117843.tif 000020
【国際調査報告】
2006117843.tif 000021
2006117843.tif 000022
2006117843.tif 000023
2006117843.tif 000024